(57)【要約】【課題】  ＡＶ再生出力装置１とスピーカ駆動装置２をケーブル４により互いに接続してなるＡＶ再生システムにおいて、ＡＶ再生出力装置１から伸びるケーブル数を減少させる。【解決手段】  本発明のＡＶ再生出力装置１は、再生装置11及びケーブルコネクタ10を具え、該コネクタ10は、映像信号を出力すべき映像出力端子101、音響信号を出力すべき音響出力端子102及び電力を再生装置11に供給すべき電力入力端子105を具えている。一方、スピーカ駆動装置２は、音響用外部出力端子251〜255、映像用外部出力端子24、電力用外部入力端子27及びケーブルコネクタ20を具え、該コネクタ20は、映像信号を映像用外部出力端子24に供給すべき映像入力端子201、音響信号を音響用外部出力端子251〜255に供給すべき音響入力端子202、及び電力用外部入力端子27からの電力を出力すべき電力出力端子205を具えている。【選択図】      図２
2006148837.tif 000002
【特許請求の範囲】
【請求項１】
音響・映像再生出力装置と、１或いは複数の音響信号を１或いは複数台のスピーカに供給して該スピーカを駆動するスピーカ駆動装置とを、ケーブルによって互いに接続してなる音響・映像再生システムであって、音響・映像再生出力装置は、音響信号及び／又は映像信号を再生する１或いは複数の信号再生回路と、前記ケーブルを接続するためのケーブルコネクタとを具え、該ケーブルコネクタは、再生された音響信号を出力すべき１或いは複数の音響出力端子と、再生された映像信号を出力すべき１或いは複数の映像出力端子と、入力された電力を前記１或いは複数の信号再生回路に供給すべき１或いは複数の電力入力端子とを具えており、スピーカ駆動装置は、１或いは複数の音響用外部出力端子と、１或いは複数の映像用外部出力端子と、商用電源からの電力が入力されるべき１或いは複数の電力用外部入力端子と、前記ケーブルを接続するためのケーブルコネクタとを具え、該ケーブルコネクタは、入力された音響信号を前記１或いは複数の音響用外部出力端子に供給すべき１或いは複数の音響入力端子と、入力された映像信号を前記１或いは複数の映像用外部出力端子に供給すべき１或いは複数の映像入力端子と、前記１或いは複数の電力用外部入力端子から入力された電力を出力すべき１或いは複数の電力出力端子とを具えており、音響・映像再生出力装置の前記１或いは複数の音響出力端子とスピーカ駆動装置の前記１或いは複数の音響入力端子、音響・映像再生出力装置の前記１或いは複数の映像出力端子とスピーカ駆動装置の前記１或いは複数の映像入力端子、及びスピーカ駆動装置の前記１或いは複数の電力出力端子と音響・映像再生出力装置の前記１或いは複数の電力入力端子とが、前記ケーブルによって互いに接続されている音響・映像再生システム。
【請求項２】
音響・映像再生出力装置は、該装置の前記ケーブルコネクタの１或いは複数の音響出力端子に供給すべき音響信号を増幅する１或いは複数の増幅回路を具え、該ケーブルコネクタは、更に、入力された音響信号を前記１或いは複数の増幅回路に供給すべき１或いは複数の音響入力端子を具えており、スピーカ駆動装置は、更に、１或いは複数の外部機器接続端子を具え、該装置の前記ケーブルコネクタは、該１或いは複数の外部機器接続端子から入力された音響信号を出力すべき１或いは複数の音響出力端子を具えており、該１或いは複数の音響出力端子と音響・映像再生出力装置の前記１或いは複数の音響入力端子とが前記ケーブルによって互いに接続されている請求項１に記載の音響・映像再生システム。
【請求項３】
スピーカ駆動装置は、更に、該装置の前記ケーブルコネクタの１或いは複数の音響入力端子に入力された音響信号を増幅して前記１或いは複数の音響用外部出力端子に供給する１或いは複数の増幅回路を具えている請求項２に記載の音響・映像再生システム。
【請求項４】
音響・映像再生出力装置は、更に、前記１或いは複数の信号再生回路の動作と該装置の前記１或いは複数の増幅回路の動作とスピーカ駆動装置の前記１或いは複数の増幅回路の動作とを制御する制御回路を具え、音響・映像再生出力装置の前記ケーブルコネクタは、更に、該制御回路からの制御信号を出力すべき１或いは複数の制御出力端子を具えており、スピーカ駆動装置の前記ケーブルコネクタは、更に、入力された制御信号を前記１或いは複数の増幅回路に供給すべき１或いは複数の制御入力端子を具えており、音響・映像再生出力装置の前記１或いは複数の制御出力端子とスピーカ駆動装置の前記１或いは複数の制御入力端子とが前記ケーブルによって互いに接続されている請求項３に記載の音響・映像再生システム。
【請求項５】
外部から供給された１或いは複数の音響信号を１或いは複数台のスピーカに供給して該スピーカを駆動するスピーカ駆動装置を、ケーブルによって接続することが可能な音響・映像再生出力装置であって、音響信号及び／又は映像信号を再生する１或いは複数の信号再生回路と、前記ケーブルを接続するためのケーブルコネクタとを具えており、該ケーブルコネクタは、再生された音響信号を接続されているスピーカ駆動装置に出力すべき１或いは複数の音響出力端子と、再生された映像信号を該スピーカ駆動装置に出力すべき１或いは複数の映像出力端子と、該スピーカ駆動装置から入力された電力を前記１或いは複数の信号再生回路に供給すべき１或いは複数の電力入力端子とを具えている音響・映像再生出力装置。
【請求項６】
音響・映像再生出力装置をケーブルによって接続することが可能であり、接続されている音響・映像再生出力装置から供給された１或いは複数の音響信号を１或いは複数台のスピーカに供給して該スピーカを駆動するスピーカ駆動装置であって、１或いは複数の音響用外部出力端子と、１或いは複数の映像用外部出力端子と、商用電源からの電力が入力されるべき１或いは複数の電力用外部入力端子と、前記ケーブルを接続するためのケーブルコネクタとを具えており、該ケーブルコネクタは、接続されている音響・映像再生出力装置から入力された音響信号を前記１或いは複数の音響用外部出力端子に供給すべき１或いは複数の音響入力端子と、該音響・映像再生出力装置から入力された映像信号を前記１或いは複数の映像用外部出力端子に供給すべき１或いは複数の映像入力端子と、前記１或いは複数の電力用外部入力端子から入力された電力を該音響・映像再生出力装置に出力すべき１或いは複数の電力出力端子とを具えているスピーカ駆動装置。
【発明の詳細な説明】
【技術分野】
【０００１】
本発明は、音響・映像再生出力装置から出力された１或いは複数の音響信号がスピーカ駆動装置を経て１或いは複数台のスピーカに供給される音響・映像再生システムに関するものである。
【背景技術】
【０００２】
従来、図３に示す如き５.１チャンネルのホームシアターシステムが知られている。
該ホームシアターシステムにおいては、モニタ設置台(５)上に設置されたモニタ装置(51)上にセンタースピーカ(61)、モニタ装置(51)の左右に前方左チャンネルスピーカ(62)及び前方右チャンネルスピーカ(63)、視聴者の後方左右に後方左チャンネルスピーカ(64)及び後方右チャンネルスピーカ(65)が配置される。又、モニタ装置(51)の近傍に、ＤＶＤ再生装置(図示省略)を内蔵する音響・映像(ＡＶ)再生出力装置(７)と、サブウーファスピーカ(図示省略)を内蔵するスピーカ駆動装置(８)とが配置され、ＡＶ再生出力装置(７)及びスピーカ駆動装置(８)からそれぞれ伸びる電源コード(770)(850)の電源プラグ(共に図示省略)は、ＡＣ電源(100)に差し込まれる。
【０００３】
上記ホームシアターシステムにおいては、ＡＶ再生出力装置(７)から出力された映像信号は、ビデオケーブル(510)を経てモニタ装置(51)に供給され、モニタ装置(51)の画面に映像が映し出される。一方、ＡＶ再生出力装置(７)から出力された音声信号は、システムケーブル(９)を経てスピーカ駆動装置(８)に供給され、サブウーファスピーカから音声が出力される。又、スピーカ駆動装置(８)に供給された音声信号は、更にオーディオケーブル(610)(620)(630)(640)(650)を経て上記５つのスピーカ(61)〜(65)に供給され、これらのスピーカから音声が出力される。
【０００４】
図４は、上記のＡＶ再生出力装置(７)及びスピーカ駆動装置(８)の具体的構成を表わしている。
ＡＶ再生出力装置(７)には、前記ビデオケーブル(510)を介してモニタ装置(51)を接続するためのモニタ接続端子(75)と、オーディオケーブル(520)を介してＣＤプレーヤ等の外部オーディオ機器(52)を接続するためのオーディオ用外部入力端子(76)と、電源プラグ(771)を具えた前記電源コード(770)を接続するための電源コード接続端子(77)とが配備されている。又、前記システムケーブル(９)を接続するためのケーブルコネクタ(70)が配備されており、該コネクタ(70)は、オーディオ出力端子(701)及び制御出力端子(702)を具えている。
【０００５】
該ＡＶ再生出力装置(７)は、ＤＶＤ再生装置(71)、プリアンプ回路(72)、マイクロコンピュータ(73)及び電源回路(74)を具えており、ＡＣ電源(図示省略)からの電力は、電源プラグ(771)、電源コード(770)、電源コード接続端子(77)及び第１電力供給線(740)を経て電源回路(74)に供給され、更に第２〜第４の電力供給線(741)(742)(743)を経てＤＶＤ再生装置(71)、プリアンプ回路(72)及びマイクロコンピュータ(73)に供給される。これによって、ＤＶＤ再生装置(71)、プリアンプ回路(72)及びマイクロコンピュータ(73)が動作状態となる。
【０００６】
マイクロコンピュータ(73)から、第１制御信号線(731)及び第２制御信号線(732)を介してＤＶＤ再生装置(71)及びプリアンプ回路(72)に制御信号が供給され、ＤＶＤ再生装置(71)及びプリアンプ回路(72)の動作が制御される。又、マイクロコンピュータ(73)から、第３制御信号線(733)を介してケーブルコネクタ(70)の前記制御出力端子(702)に制御信号が供給される。
【０００７】
ＤＶＤ再生装置(71)によって再生された映像信号は、映像信号線(78)を介して前記モニタ接続端子(75)からモニタ装置(51)に出力される。
一方、ＤＶＤ再生装置(71)によって再生された音声信号は、第１音声信号線(761)を介してプリアンプ回路(72)に供給される。又、外部オーディオ機器(52)から得られる音声信号が、オーディオケーブル(520)、前記オーディオ用外部入力端子(76)及び第２音声信号線(762)を介してプリアンプ回路(72)に供給される。
プリアンプ回路(72)は、第１音声信号線側或いは第２音声信号線側の何れか一方の側に切換え可能なスイッチ(720)と、音声信号を増幅する増幅回路(721)とを具えており、スイッチ(720)が第１音声信号線側に切り換えられた状態では、ＤＶＤ再生装置(71)によって再生された音声信号が増幅回路(721)に供給されて増幅される一方、スイッチ(720)が第２音声信号線側に切り換えられた状態では、外部オーディオ機器(52)から得られた音声信号が増幅回路(721)に供給されて増幅される。増幅回路(721)によって増幅された音声信号は、第３音声信号線(763)を介してケーブルコネクタ(70)の前記音声出力端子(701)に供給される。
【０００８】
一方、スピーカ駆動装置(８)には、上記オーディオケーブル(610)(620)(630)(640)(650)を介して５つのスピーカ(61)〜(65)を接続するための５つのスピーカ接続端子(841)〜(845)と、電源プラグ(851)を具えた前記電源コード(850)を接続するための電源コード接続端子(85)とが配備されている。又、前記システムケーブル(９)を接続するためのケーブルコネクタ(80)が配備されており、該コネクタ(80)は、オーディオ入力端子(801)及び制御入力端子(802)を具えている。
【０００９】
該スピーカ駆動装置(８)は、パワーアンプ回路(81)、サブウーファスピーカ(82)及び電源回路(83)を具えており、ＡＣ電源(図示省略)からの電力は、電源プラグ(851)、電源コード(850)、電源コード接続端子(85)及び第１電力供給線(870)を経て電源回路(83)に供給され、更に第２電力供給線(871)を経てパワーアンプ回路(81)に供給される。これによって、パワーアンプ回路(81)が動作状態となる。
【００１０】
上述の如くＡＶ再生出力装置(７)のプリアンプ回路(72)からオーディオ出力端子(701)に供給された音声信号は、システムケーブル(９)、スピーカ駆動装置(８)のオーディオ入力端子(801)及び第１音声信号線(860)を経てパワーアンプ回路(81)に供給され、該回路(81)によって増幅される。増幅された音声信号は、第２〜第６の音声信号線(861)〜(865)を介して上記５つのスピーカ接続端子(841)〜(845)から５つのスピーカ(61)〜(65)に出力されると共に、第７音声信号線(866)を介してサブウーファスピーカ(82)に供給される。
【００１１】
又、上述の如くＡＶ再生出力装置(７)のマイクロコンピュータ(73)から制御出力端子(702)に供給された制御信号は、システムケーブル(９)、スピーカ駆動装置(８)の制御入力端子(802)及び制御信号線(88)を介してパワーアンプ回路(81)に供給される。この様にして、ＡＶ再生出力装置(７)のマイクロコンピュータ(73)によってスピーカ駆動装置(８)のパワーアンプ回路(81)の動作が制御される。
【００１２】
尚、出願人は、５.１チャンネルのホームシアターシステムのスピーカ駆動装置として採用可能なスピーカ用増幅装置を提案している(特許文献１参照)。
【特許文献１】特開２００３−３１８６８３号公報
【発明の開示】
【発明が解決しようとする課題】
【００１３】
ところで、上記ＡＶ再生出力装置(７)は、ＤＶＤを交換するために視聴者の手元に置くことが望ましいが、図５に示す如くＡＶ再生出力装置(７)を視聴者の手元に置いた場合には、ＡＶ再生出力装置(７)からモニタ装置(51)、スピーカ駆動装置(８)及びＡＣ電源(100)までビデオケーブル(510)、システムケーブル(９)及び電源コード(770)が伸びることとなり、視聴者自身やその周囲の者がこれらのケーブルやコードに躓く虞がある。そこで従来は、図３に示す如くモニタ装置(51)、スピーカ駆動装置(８)及びＡＣ電源(100)の近傍にＡＶ再生出力装置(７)を置いており、ＤＶＤを交換する際にはＡＶ再生出力装置(７)まで移動しなければならず、ＤＶＤの交換が面倒であった。
本発明の目的は、ＡＶ再生出力装置から伸びるケーブル数が従来よりも少ないＡＶ再生システムを提供することである。
【課題を解決するための手段】
【００１４】
そこで本発明者は、鋭意研究の結果、図３に示す如くモニタ装置(51)及びＡＣ電源(100)の近傍に配置されるスピーカ駆動装置(８)に着目し、本発明の完成に至った。
【００１５】
本発明に係るＡＶ再生システムは、ＡＶ再生出力装置と、１或いは複数の音響信号を１或いは複数台のスピーカに供給して該スピーカを駆動するスピーカ駆動装置とを、ケーブルによって互いに接続して構成される。
ＡＶ再生出力装置は、音響信号及び／又は映像信号を再生する１或いは複数の信号再生回路と、前記ケーブルを接続するためのケーブルコネクタとを具え、該ケーブルコネクタは、再生された音響信号を出力すべき１或いは複数の音響出力端子と、再生された映像信号を出力すべき１或いは複数の映像出力端子と、入力された電力を前記１或いは複数の信号再生回路に供給すべき１或いは複数の電力入力端子とを具えている。
一方、スピーカ駆動装置は、１或いは複数の音響用外部出力端子と、１或いは複数の映像用外部出力端子と、商用電源からの電力が入力されるべき１或いは複数の電力用外部入力端子と、前記ケーブルを接続するためのケーブルコネクタとを具え、該ケーブルコネクタは、入力された音響信号を前記１或いは複数の音響用外部出力端子に供給すべき１或いは複数の音響入力端子と、入力された映像信号を前記１或いは複数の映像用外部出力端子に供給すべき１或いは複数の映像入力端子と、前記１或いは複数の電力用外部入力端子から入力された電力を出力すべき１或いは複数の電力出力端子とを具えている。
そして、ＡＶ再生出力装置の前記１或いは複数の音響出力端子とスピーカ駆動装置の前記１或いは複数の音響入力端子、ＡＶ再生出力装置の前記１或いは複数の映像出力端子とスピーカ駆動装置の前記１或いは複数の映像入力端子、及びスピーカ駆動装置の前記１或いは複数の電力出力端子とＡＶ再生出力装置の前記１或いは複数の電力入力端子とが、前記ケーブルによって互いに接続されている。
【００１６】
上記本発明に係るＡＶ再生システムにおいては、スピーカ駆動装置の１或いは複数の音響用外部出力端子に１或いは複数台のスピーカが接続されると共に、１或いは複数の映像用外部出力端子に１或いは複数台のモニタ装置が接続される。又、１或いは複数の電力用外部入力端子に商用電源が接続される。
上記ＡＶ再生システムにおいては、商用電源からスピーカ駆動装置の電力用外部入力端子に入力された電力は、該装置のケーブルコネクタの電力出力端子、ケーブル、及びＡＶ再生出力装置のケーブルコネクタの電力入力端子を経て、信号再生回路に供給される。これによって、信号再生回路は動作状態となる。
この状態で、ＡＶ再生出力装置の信号再生回路によって再生された映像信号は、該装置のケーブルコネクタの映像出力端子、ケーブル、及びスピーカ駆動装置のケーブルコネクタの映像入力端子を経て、映像用外部出力端子からモニタ装置に出力される。この結果、ＡＶ再生出力装置によって再生された映像がモニタ装置の画面に映し出されることになる。
一方、ＡＶ再生出力装置の信号再生回路によって再生された音響信号は、該装置のケーブルコネクタの音響出力端子、ケーブル、及びスピーカ駆動装置のケーブルコネクタの音声入力端子を経て、音響用外部出力端子からスピーカに出力される。この結果、ＡＶ再生出力装置によって再生された音声がスピーカから出力されることになる。
本発明に係るＡＶ再生システムによれば、信号再生回路により再生された映像信号をモニタ装置に出力するための映像用外部出力端子と、信号再生回路に供給すべき電力を商用電源から得るための電力用外部入力端子とをスピーカ駆動装置に設けることによって、ＡＶ再生出力装置から伸びるケーブル数を従来よりも減少させることが出来る。
【００１７】
具体的には、ＡＶ再生出力装置は、該装置の前記ケーブルコネクタの１或いは複数の音響出力端子に供給すべき音響信号を増幅する１或いは複数の増幅回路を具え、該ケーブルコネクタは、更に、入力された音響信号を前記１或いは複数の増幅回路に供給すべき１或いは複数の音響入力端子を具えている。一方、スピーカ駆動装置は、更に、１或いは複数の外部機器接続端子を具え、該装置の前記ケーブルコネクタは、該１或いは複数の外部機器接続端子から入力された音響信号を出力すべき１或いは複数の音響出力端子を具えている。そして、該１或いは複数の音響出力端子とＡＶ再生出力装置の前記１或いは複数の音響入力端子とが前記ケーブルによって互いに接続されている。
【００１８】
上記具体的構成においては、スピーカ駆動装置の１或いは複数の外部機器接続端子にＣＤプレーヤやＶＴＲ等の１或いは複数のＡＶ機器が接続される。
ＡＶ機器からスピーカ駆動装置の外部機器接続端子に入力された音響信号は、該装置のケーブルコネクタの音響出力端子、ケーブル、及びＡＶ再生出力装置のケーブルコネクタの音響入力端子を経て増幅回路に供給され、該回路によって増幅される。増幅された音響信号は、ＡＶ再生出力装置のケーブルコネクタの音響出力端子、ケーブル、及びスピーカ駆動装置のケーブルコネクタの音響入力端子を経て、音響用外部出力端子からスピーカに出力される。この結果、ＡＶ機器によって再生された音声がスピーカから出力されることになる。
上記具体的構成によれば、ＡＶ機器を接続するための外部機器接続端子をスピーカ駆動装置に設けることによって、ＡＶ再生出力装置から伸びるケーブル数をより減少させることが出来る。
【発明の効果】
【００１９】
本発明に係るＡＶ再生システムによれば、ＡＶ再生出力装置から伸びるケーブル数を従来よりも減少させることが出来る。
【発明を実施するための最良の形態】
【００２０】
以下、本発明を、図１に示すホームシアターシステムに実施した形態につき、図面に沿って具体的に説明する。
本発明に係るホームシアターシステムにおいては、モニタ設置台(５)上に設置されたモニタ装置(51)上にセンタースピーカ(61)、モニタ装置(51)の左右に前方左チャンネルスピーカ(62)及び前方右チャンネルスピーカ(63)、視聴者の後方左右に後方左チャンネルスピーカ(64)及び後方右チャンネルスピーカ(65)が配置され、モニタ装置(51)の近傍に、サブウーファスピーカ(図示省略)を内蔵するスピーカ駆動装置(２)が配置される。該スピーカ駆動装置(２)から伸びる電源コード(270)の電源プラグ(図示省略)はＡＣ電源(100)に差し込まれる。又、視聴者の手元に、ＤＶＤ再生装置(図示省略)を内蔵するＡＶ再生出力装置(１)が配置される。
【００２１】
上記ホームシアターシステムにおいては、ＡＶ再生出力装置(１)から出力された映像信号は、システムケーブル(４)を経てスピーカ駆動装置(２)に供給された後、更にビデオケーブル(510)を経てモニタ装置(51)に供給され、モニタ装置(51)の画面に映像が映し出される。一方、ＡＶ再生出力装置(１)から出力された音声信号は、システムケーブル(４)を経てスピーカ駆動装置(２)に供給され、サブウーファスピーカから音声が出力される。又、スピーカ駆動装置(２)に供給された音声信号は、更にオーディオケーブル(610)(620)(630)(640)(650)を経て上記５つのスピーカ(61)〜(65)に供給され、これらのスピーカから音声が出力される。
【００２２】
図２は、上記のＡＶ再生出力装置(１)及びスピーカ駆動装置(２)の具体的構成を表わしている。
ＡＶ再生出力装置(１)には、前記システムケーブル(４)を接続するためのケーブルコネクタ(10)が配備されており、該コネクタ(10)は、ビデオ出力端子(101)、オーディオ出力端子(102)、オーディオ入力端子(103)、制御出力端子(104)及び電力入力端子(105)を具えている。
【００２３】
該ＡＶ再生出力装置(１)は、ＤＶＤ再生装置(11)、プリアンプ回路(12)及びマイクロコンピュータ(13)を具えており、後述の如くスピーカ駆動装置(２)からケーブルコネクタ(10)の前記電力入力端子(105)に入力された電力が、電力供給線(16)を介して、ＤＶＤ再生装置(11)、プリアンプ回路(12)及びマイクロコンピュータ(13)に供給される。これによって、ＤＶＤ再生装置(11)、プリアンプ回路(12)及びマイクロコンピュータ(13)が動作状態となる。
【００２４】
マイクロコンピュータ(13)から、第１制御信号線(131)及び第２制御信号線(132)を介してＤＶＤ再生装置(11)及びプリアンプ回路(12)に制御信号が供給され、ＤＶＤ再生装置(11)及びプリアンプ回路(12)の動作が制御される。又、マイクロコンピュータ(13)から、第３制御信号線(133)を介してケーブルコネクタ(10)の前記制御出力端子(104)に制御信号が供給される。
【００２５】
ＤＶＤ再生装置(11)によって再生された映像信号は、映像信号線(14)を介してケーブルコネクタ(10)の前記ビデオ出力端子(101)に供給される。
一方、ＤＶＤ再生装置(11)によって再生された音声信号は、第１音声信号線(151)を介してプリアンプ回路(12)に供給される。又、後述の如く外部オーディオ機器(52)からスピーカ駆動装置(２)を経て前記オーディオ入力端子(103)に入力された音声信号が、第２音声信号線(152)を介してプリアンプ回路(12)に供給される。
プリアンプ回路(12)は、第１音声信号線側或いは第２音声信号線側の何れか一方の側に切換え可能なスイッチ(120)と、音声信号を増幅する増幅回路(121)とを具えており、スイッチ(120)が第１音声信号線側に切り換えられた状態では、ＤＶＤ再生装置(11)によって再生された音声信号が増幅回路(121)に供給されて増幅される一方、スイッチ(120)が第２音声信号線側に切り換えられた状態では、外部オーディオ機器(52)から得られた音声信号が増幅回路(121)に供給されて増幅される。増幅回路(121)によって増幅された音声信号は、第３音声信号線(153)を介してケーブルコネクタ(10)の前記オーディオ出力端子(102)に供給される。
【００２６】
一方、スピーカ駆動装置(２)には、上記オーディオケーブル(610)(620)(630)(640)(650)を介して５つのスピーカ(61)〜(65)を接続するための５つのスピーカ接続端子(251)〜(255)と、上記ビデオケーブル(510)を介してモニタ装置(51)を接続するためのモニタ接続端子(24)と、オーディオケーブル(520)を介してＣＤプレーヤ等の外部オーディオ機器(52)を接続するためのオーディオ用外部入力端子(26)と、電源プラグ(271)を具えた前記電源コード(270)を接続するための電源コード接続端子(27)とが配備されている。又、前記システムケーブル(４)を接続するためのケーブルコネクタ(20)が配備されており、該コネクタ(20)は、ビデオ入力端子(201)、オーディオ入力端子(202)、オーディオ出力端子(203)、制御入力端子(204)及び電力出力端子(205)を具えている。
【００２７】
該スピーカ駆動装置(２)は、パワーアンプ回路(21)、サブウーファスピーカ(22)及び電源回路(23)を具えており、ＡＣ電源(図示省略)から電力は、電源プラグ(271)、電源コード(270)、電源コード接続端子(27)及び第１電力供給線(310)を経て電源回路(23)に供給され、更に第２電力供給線(311)を介してパワーアンプ回路(21)に供給される。これによって、パワーアンプ回路(21)が動作状態となる。又、電源回路(23)に供給された電力は、第３電力供給線(312)、ケーブルコネクタ(20)の前記電力出力端子(205)及びシステムケーブル(４)を経てＡＶ再生出力装置(１)の電力入力端子(105)に入力され、その後、上述の如くＤＶＤ再生装置(11)、プリアンプ回路(12)及びマイクロコンピュータ(13)に供給される。
【００２８】
外部オーディオ機器(52)からオーディオケーブル(520)を経て前記オーディオ用外部入力端子(26)に入力された音声信号は、外部音声信号線(32)、ケーブルコネクタ(20)のオーディオ出力端子(203)及びシステムケーブル(４)を経てＡＶ再生出力装置(１)のオーディオ入力端子(103)に入力され、その後、上述の如くプリアンプ回路(12)に供給される。この様にして、外部オーディオ機器(52)から得られた音声信号が、スピーカ駆動装置(２)及びシステムケーブル(４)を経てＡＶ再生出力装置(１)のプリアンプ回路(12)に供給されることになる。
【００２９】
又、上述の如くＡＶ再生出力装置(１)のＤＶＤ再生装置(11)からビデオ出力端子(101)に供給された映像信号は、システムケーブル(４)、スピーカ駆動装置(２)のビデオ入力端子(201)及び映像信号線(28)を介して前記モニタ接続端子(24)からモニタ装置(51)に出力される。この様にして、ＡＶ再生出力装置(１)によって再生された映像信号が、システムケーブル(４)、スピーカ駆動装置(２)及びビデオケーブル(510)を経てモニタ装置(51)に供給されることになる。
【００３０】
一方、上述の如くＡＶ再生出力装置(１)のプリアンプ回路(12)からオーディオ出力端子(102)に供給された音声信号は、システムケーブル(４)、スピーカ駆動装置(２)のオーディオ入力端子(202)及び第１音声信号線(290)を介してパワーアンプ回路(21)に供給され、該回路(21)によって増幅される。増幅された音声信号は、第２〜第６の音声信号線(291)〜(295)を介して上記５つのスピーカ接続端子(251)〜(255)から５つのスピーカ(61)〜(65)に出力されると共に、第７音声信号線(296)を介してサブウーファスピーカ(22)に供給される。この様にして、ＡＶ再生出力装置(１)によって再生された音声信号、或いは上述の如く外部オーディオ機器(52)からＡＶ再生出力装置(１)に供給された音声信号が、システムケーブル(４)を経てスピーカ駆動装置(２)に供給され、更に５本のオーディオケーブル(610)(620)(630)(640)(650)を経て５つのスピーカ(61)〜(65)に供給されることになる。
【００３１】
又、上述の如くＡＶ再生出力装置(１)のマイクロコンピュータ(13)から制御出力端子(104)に供給された制御信号は、システムケーブル(４)、スピーカ駆動装置(２)の制御入力端子(204)及び制御信号線(30)を介してパワーアンプ回路(21)に供給される。この様にして、ＡＶ再生出力装置(１)のマイクロコンピュータ(13)によってスピーカ駆動装置(２)のパワーアンプ回路(21)の動作が制御されることになる。
【００３２】
本発明に係るホームシアターシステムにおいては、図２に示す如く、スピーカ駆動装置(２)に、ＤＶＤ再生装置(11)によって再生された映像信号をモニタ装置(51)に出力するためのモニタ接続端子(24)と、外部オーディオ機器(52)を接続するためのオーディオ用外部入力端子(26)とが設けられる。又、スピーカ駆動装置(２)の電源回路(23)からＤＶＤ再生装置(11)、プリアンプ回路(12)及びマイクロコンピュータ(13)に電力を供給することによって、ＡＶ再生出力装置(１)の電源コード接続端子を省略することが出来る。従って、ＡＶ再生出力装置(１)から伸びるケーブルは１本のシステムケーブル(４)のみとなり、図１に示す如くＡＶ再生出力装置(１)を視聴者の手元に置いた場合であっても、視聴者自身やその周囲の者が該システムケーブル(４)に躓く事態の可能性は極めて低い。
又、ＡＶ再生出力装置(１)の電源回路を省略することが出来るので、ＡＶ再生出力装置(１)が小型となると共に、コストの低減が図られる。
【００３３】
尚、本発明の各部構成は上記実施の形態に限らず、特許請求の範囲に記載の技術的範囲内で種々の変形が可能である。
例えば、図２に示すスピーカ駆動装置(２)に複数のモニタ接続端子(24)や複数のオーディオ用外部入力端子(26)を設けることも可能である。
又、外部機器接続端子としてオーディオ用外部入力端子(26)を設けているが、ＶＴＲなどのＡＶ機器を接続するためのＡＶ用外部入力端子を設けて、該入力端子に入力された音声信号をケーブルコネクタ(20)のオーディオ出力端子(203)に供給する一方、該入力端子に入力された映像信号をモニタ接続端子(24)に供給することも可能である。
更に、スピーカ駆動装置(２)にスピーカと同数の複数のパワーアンプ回路(21)を設ける構成も採用可能である。該構成においては、例えば、ＡＶ再生出力装置(１)のケーブルコネクタ(10)に複数の制御出力端子(104)が設けられると共に、スピーカ駆動装置(２)のケーブルコネクタ(20)に複数の制御入力端子(204)が設けられる。
【図面の簡単な説明】
【００３４】
【図１】本発明に係るホームシアターシステムを構成する各装置の配置を表わす斜視図である。
【図２】上記ホームシアターシステムを構成するＡＶ再生出力装置及びスピーカ駆動装置の具体的構成を表わすブロック図である。
【図３】従来のホームシアターシステムを構成する各装置の配置を表わす斜視図である。
【図４】上記ホームシアターシステムを構成するＡＶ再生出力装置及びスピーカ駆動装置の具体的構成を表わすブロック図である。
【図５】上記ホームシアターシステムを構成する各装置の他の配置を表わす斜視図である。
【符号の説明】
【００３５】
(１)   ＡＶ再生出力装置
(10)   ケーブルコネクタ
(101)  ビデオ出力端子
(102)  オーディオ出力端子
(103)  オーディオ入力端子
(104)  制御出力端子
(105)  電力入力端子
(11)   ＤＶＤ再生装置
(12)   プリアンプ回路
(13)   マイクロコンピュータ
(２)   スピーカ駆動装置
(20)   ケーブルコネクタ
(201)  ビデオ入力端子
(202)  オーディオ入力端子
(203)  オーディオ出力端子
(204)  制御入力端子
(205)  電力出力端子
(21)   パワーアンプ回路
(23)   電源回路
(４)   システムケーブル
【図１】
2006148837.tif 000003
【図２】
2006148837.tif 000004
【図３】
2006148837.tif 000005
【図４】
2006148837.tif 000006
【図５】
2006148837.tif 000007